(57)【要約】【課題】外気を導入し、選択的に内部空気を排出できる分離型空調システムを提供する。【解決手段】室内機１００、主機２００および外気輸送装置３００を含んでいる。室内機１００は、外気導入ダクトおよび冷却装置を含んでいる。冷却装置は吸気側を含み、外気導入ダクトの一端は吸気側に連通している。主機２００は、カバー体２１０および圧縮装置２３０を含んでいる。圧縮装置２３０は、カバー体２１０に納められ、冷却装置に接続されている。外気輸送装置３００は、外気導入ダクトに接続されている。外気を冷却するため、圧縮装置で圧縮された中に内含されている冷媒が冷却装置に送り込まれる。外気輸送装置３００は、外気導入ダクトを介して外気を室内機１００に送り込み、さらに吸気側を介して冷却装置に入り込むことで、外気が冷たい空気になる。【選択図】図３
0003122256.tif 000002
【実用新案登録請求の範囲】
【請求項１】
室内機は外気導入ダクトおよび冷却装置を有し、前記外気導入ダクトの一端は冷却装置の吸気側に連結し、
主機は圧縮装置を有し、前記冷却装置に接続され、
外気輸送装置は外気導入ダクトに接続され、前記外気導入ダクトを介して外気が冷却装置に送り込まれることを特徴とする分離型空調システム。
【請求項２】
前記主機は、カバー体を有し、前記外気輸送装置は前記カバー体の中に納められていることを特徴とする請求項１記載の分離型空調システム。
【請求項３】
前記外気導入ダクトは、さらに制御バルブを有し、前記制御バルブは外気導入ダクトの冷却装置に近い一端に設置されていることを特徴とする請求項１記載の分離型空調システム。
【請求項４】
前記室内機は、さらに内部空気吸気穴を有し、前記内部空気吸気穴は冷却装置の前記吸気側に連通している上に、選択的に外気導入ダクトに連通することを特徴とする請求項１記載の分離型空調システム。
【請求項５】
前記外気輸送装置は、選択的に前記外気導入ダクトおよび前記内部空気吸気穴を介して外へ内部空気を抽出することを特徴とする請求項４記載の分離型空調システム。
【請求項６】
前記分離型空調システムは、さらに内部空気排気ダクトおよび内部空気抽出装置を有し、前記内部空気排気ダクトは内部空気吸気穴に連通し、前記内部空気抽出装置は前記内部空気排気ダクトおよび内部空気吸気穴を介して外へ内部空気を抽出することを特徴とする請求項４記載の分離型空調システム。
【請求項７】
前記内部空気抽出装置は、冷凍サイクルの圧縮機を有することを特徴とする請求項６記載の分離型空調システム。
【請求項８】
前記内部空気抽出装置は、前記主機のカバー体の中に設置されていることを特徴とする請求項６記載の分離型空調システム。
【請求項９】
前記外気輸送装置は、吸気ファンモーターを有することを特徴とする請求項１記載の分離型空調システム。
【請求項１０】
内部空気吸気穴は前記室内機に設置され、
内部空気排気ダクトは前記内部空気吸気穴に連通し、前記内部空気排気ダクトの一部分は前記室内機の中に設置され、
内部空気抽出装置は前記内部空気排気ダクトに接続され、前記内部空気抽出装置は内部空気排気ダクトおよび内部空気吸気穴を介して外へ内部空気を抽出することを特徴とする請求項１記載の分離型空調システム。
【請求項１１】
前記内部空気排気ダクトは、さらに制御バルブを有し、前記制御バルブは前記外気導入ダクトが前記内部空気吸気穴に連通する一端に設置されていることを特徴とする請求項１０記載の分離型空調システム。
【考案の詳細な説明】
【技術分野】
【０００１】
本発明は、一種の分離型空調システムに関し、具体的に説明すると、本発明は外気を導入することができる一種の分離型空調システムに関する。
【背景技術】
【０００２】
分離型空調システムは、各種建築物およびその他の工業用途に広く利用されるようになっている。一般家庭用の分離型エアコンおよびビルの分離型セントラル空調はみな分離型空調システム設計のコンセプトにより生まれた製品である。その中で、近年来、分離型エアコンの市場普及率が大幅に上昇し、すでに伝統的な窓取付け形エアコンと対等に振舞うという勢いを示している。
【０００３】
通常の分離型エアコンはみな室内に設置する室内機および室外に設置する主機を含んでいる。室内機は、一般的に室内壁の適当な位置に取り付ける上に、エア配管を介して室外機に接続されている。室外機の中に含まれている圧縮機は冷媒を室内機の凝縮器または蒸発器などの冷却装置に送り込み、室内機は内部空気の循環を行い、室内機に吸い込ませた室内空気が冷却装置で処理された結果、冷たい空気になって再び室内に戻ってくる。
【０００４】
伝統的な窓取付け形エアコンと比較すると、分離型エアコンは高品位のデザイン、低騒音および室内機の設置自由度が広がるなどの特長を有する。しかし、室内機は外気と対流する機能がないので、室内外の空気を循環させ難く、その結果、内部空気の質に影響を及ぼすことになる。
【考案の開示】
【考案が解決しようとする課題】
【０００５】
本発明の主な目的は、外気を導入するための分離型空調システムを提供することにある。また、本発明の次の目的は、選択的に内部空気を排出するための分離型空調システムを提供することにある。そして、本発明のもう１つの目的は、室内外の空気の循環を行う能力を持つ分離型空調システムを提供することにある。
【課題を解決するための手段】
【０００６】
本発明の分離型空調システムは、室内機、主機および外気輸送装置を含んでいる。室内機は、主に、外気導入ダクトおよび冷却装置を含んでいる。冷却装置は吸気側を含んでおり、外気導入ダクトの一端は冷却装置吸気側に連通している。主機は、カバー体および圧縮装置を含んでいる。圧縮装置は、カバー体に納められている上に室内機の冷却装置に接続されている。外気を冷却するために、圧縮装置で圧縮された中に内含されている冷媒を冷却装置に送り込む。外気輸送装置は、室外機のカバー体の中に設置されることがベストであり、しかも、外気導入ダクトに接続されている。
外気輸送装置は外気導入ダクトを介して外気を室内機に送り込み、さらに冷却装置吸気側を介して冷却装置に入り込むことで、外気が冷たい空気になる。
【０００７】
第二実施例では、外気導入ダクトはさらに制御バルブを含んでいる。制御バルブは、外気導入ダクトの冷却装置吸気側に近い一端に設置されている。バルブの開閉を制御することにより、外気導入ダクト１３０と吸気側１３１の連通状態を制御することができ、その上、外気を導入するか否かと導入量を制御することもできる。
第三実施例では、室内機はさらに冷却装置吸気側の内部空気吸気穴に連通する要素を含んでいる。外気輸送装置は、外気導入ダクトおよび内部空気吸気穴を介して特定の室内空間から外へ内部空気を抽出することができるものである。
【考案を実施するための最良の形態】
【０００８】
本発明は一種の分離型空調システムを提供することである。本発明の第一実施例による分離型空調システムは、分離型エアコンを含んでいる。しかし、他の実施例では、この分離型空調システムはビルまたは工場で使用されるセントラル空調設備を含むこともできる。
図１に示すように、本実施例の分離型空調システムは、室内機１００、主機２００および外気輸送装置３００を含んでいる。室内機１００は、特定の室内空間１０に設置され、特定の室内空間１０の壁に取り付けられるのがベストである。
【０００９】
主機２００は、上述の特定の室内空間以外の空間、たとえば、室外空間または主機室に据え付けられている。外気輸送装置３００は、上述の二つの空間以外の空間に設置されるのがベストであるが、他の実施例では、外気輸送装置３００が特定の室内空間１０の中に設置されることもできる上に、エア配管を介して室外または他の空間に接続されている。
【００１０】
図２は、第一実施例の室内機１００を示す断面図である。図２に示すように、室内機１００は、主に、外気導入ダクト１１０および冷却装置１３０を含んでいる。室外または特定の室内空間１０以外の空間から外気を室内機１００に導入するために、外気導入ダクト１１０は室内機１００のいちばん端に近い位置に設置されるのがベストである上に、冷却装置１３０の上の方にある。他の実施例では、外気導入ダクト１１０は室内機１００の側辺に設置されることもできる。外気導入ダクト１１０は室内機１００のいちばん端に近い間に挟まれている空間より形成されるのがベストであるが、もう１つの実施例では、外気導入ダクト１１０が一本或いは数本のエア配管より形成されることもできる。
【００１１】
図２に示すように、冷却装置１３０は室内機１００の正面に向かって設置されるのがベストであるが、他の実施例では、冷却装置１３０が内部空間のレイアウトにより室内機１００の側面、天井面または底面に向かって設置されることもできる。冷却装置１３０は吸気側１３１を含んでおり、外気導入ダクト１１０の一端は冷却装置１３０の吸気側１３１に連通している。図２に示す実施例では、吸気側１３１は吸気プレートであり、外気導入ダクト１１０より導入された外気が吸気側１３１を介して冷却装置１３０に入り込み、そこで冷却される。冷却装置１３０は、蒸発器または凝縮器を持つのがベストである。
【００１２】
このほか、室内機１００は、さらに内部空気吸気穴１５０および風吹き出し口１７０を含んでいる。内部空気吸気穴１５０は、冷却装置１３０の吸気側１３１に連通している。図２に示す実施例では、冷却装置１３０の吸気側１３１の位置に対応するために、内部空気吸気穴１５０が室内機１００の正面に設置されている。しかし、他の実施例では、内部空気吸気穴１５０が室内機の他の表面に設置されることもできる上に、導気のやり方をもって冷却装置１３０の吸気側１３１に連通する。内部空気吸気穴１５０が選択的に外気導入ダクト１１０の一端に連通する。ここで言う選択とは、内部空気吸気穴１５０と外気導入ダクト１１０の連通状態は必要に応じて開閉できることを示すものである。
【００１３】
図２に示す実施例では、風吹き出し口１７０は室内機１００の正面の奥底に近いところに設置されている。しかし、他の実施例では、風吹き出し口１７０は室内機１００の正面の側辺に近いところに設置されるか、室内機１００のその他の表面に設置されることもできる。風吹き出し口１７０は、冷却装置１３０の排気側１３３に連通している。外気導入ダクト１１０より導入された外気は、冷却装置１３０で冷却された後に排気側１３３から排出されたら、風吹き出し口１５０を介して特定の室内空間１０の中に送り込まれる。
【００１４】
図３は、本発明の第二実施例を示す説明図である。図３に示すように、主機２００はカバー体２１０および圧縮装置２３０を含んでいる。圧縮装置２３０は、カバー体２１０の中に納められている上に、室内機１００の冷却装置１３０に接続されている。圧縮装置２３０は、断熱配管により冷却装置１３０に接続されるのがベストである。本実施例の分離型空調システムが作動されるときに、外気を冷却するために、圧縮装置２３０は中に内含されている冷媒を圧縮して冷却装置１３０に送り込む。圧縮装置２３０は、冷凍サイクルの圧縮機を持つのがベストである。
【００１５】
外気輸送装置３００は外気導入ダクト１１０に連通している上に、外気導入ダクト１１０を介して外気を冷却装置１１０に送り込む。外気輸送装置３００は吸気ファンモーターを持つのがベストである上に、エア配管により外気導入ダクトに接続されている。このほか、外気輸送装置３００の送り出し速度を調整することにより、外気導入の速度よび導入量を調整することができる。図３に示す実施例では、外気輸送装置３００がカバー体２１０の中に設置されている。しかし、他の実施例では、図１に示すように、外気輸送装置３００がカバー体２１０の外に設置されることもできる。
【００１６】
図４は、第二実施例の室内機１００を示す断面図である。図４に示すように、外気導入ダクト１１０は、さらに制御バルブ１１１を含んでいる。制御バルブ１１１は、外気導入ダクト１１０の冷却装置１３０の吸気側１３１に近い一端に設置されている。制御バルブ１１１を開けるときに、外気導入ダクト１１０は吸気側１３１に連通しているので、外気を冷却装置１３０に入り込ませることができる。制御バルブ１１１を閉めるときに、外気導入ダクト１１０は吸気側１３１に連通しないので、外気が冷却装置１３０に入り込むことができなくなる。このほか、バルブの開閉具合を調整することにより、外気導入速度および導入量を可変にすることができ、さらに外気と内部空気の混合比を変更する。比較的よい実施例では、制御バルブ１１１はデジタル制御バルブであり、特定の室内空間１０の外気混合比を調整するために、使用者はコントロールパネル（図面に描かれていない）により制御バルブ１１１の開閉を制御する。
【００１７】
図５Ａと図５Ｂは、本発明の第三実施例を示す図である。この実施例では、外気輸送装置３００は選択的に外気導入ダクト１１０および内部空気吸気穴１５０を介して特定の室内空間１０から外へ内部空気を抽出するものである。逆方向に動作される場合、外気輸送装置３００をもって内部空気抽出装置とする上に、外気導入ダクト１１０を内部空気排気ダクトとして利用する。図５Ｂに示す矢印方向は、内部空気を外へ抽出する方向である。しかし、他の実施例では、独立した吸気と排気システムを形成するために、外気輸送装置３００と内部空気抽出装置を引き離してそれぞれ単独で設置させることと、外気導入ダクト１１０と内部空気排気ダクトを引き離してそれぞれ単独で設置させることもできる。
【００１８】
本発明はすでに上述の関連実施例で説明されたが、上述の実施例は本発明のただの範例とするものである。ここに指摘すべき事項は、すでに取り上げた実施例は本発明の範囲を制限するものではなく、逆に、特許請求範囲に含まれている趣旨および範囲の改正および均等設置などはすべて本発明の範囲内に含まれているものとする。
【図面の簡単な説明】
【００１９】
【図１】本発明の第一実施例による分離型空調システムを示す模式図である。
【図２】本発明の第一実施例による分離型空調システムの室内機を示す断面図である。
【図３】本発明の第二実施例による分離型空調システムを示す模式図である。
【図４】本発明の第二実施例による分離型空調システムの室内機を示す断面図である。
【図５Ａ】本発明の第三実施例による分離型空調システムを示す模式図である。
【図５Ｂ】本発明の第三実施例による分離型空調システムの室内機を示す断面図である。
【符号の説明】
【００２０】
１０  特定の室内空間、１００  室内機、１１０  外気導入ダクト、１１１  制御バルブ、１３０  冷却装置、１３１  吸気側、１３３  排気側、１５０  内部空気吸気穴、１７０  風吹き出し口、２００  主機、２１０  カバー体、２３０  圧縮装置、３００  外気輸送装置
【図１】
0003122256.tif 000003
【図２】
0003122256.tif 000004
【図３】
0003122256.tif 000005
【図４】
0003122256.tif 000006
【図５Ａ】
0003122256.tif 000007
【図５Ｂ】
0003122256.tif 000008